【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  表面の長手方向に平行な一端に雌端縁、他端に雄端縁を形成した屋根材と、該屋根材の裏面側に該屋根材と一体的に発泡形成した樹脂発泡体とを備え、該屋根材の雌端縁と該屋根材の流れ方向に相隣接する屋根材の雄端縁とを嵌合することにより屋根下地上に連続して葺設される屋根材において、上記屋根材の長手方向一端部には該長手方向と直角方向に所定長さで該屋根材の略全幅にわたって樹脂発泡体がない部分を有し、かかる樹脂発泡体がない部分を有する該屋根材の一端部を、葺設時に相隣接する屋根材の上側に重ね合わせて重合接続し、桁行方向に連続して横葺設されることを特徴とする屋根材。
【請求項２】  表面の長手方向に平行な一端に雌端縁、他端に雄端縁を形成した屋根材と、該屋根材の裏面側に該屋根材と一体的に発泡形成した樹脂発泡体と、該樹脂発泡体の裏面に配設した裏面材とから成り、該屋根材の雌端縁と該屋根材の流れ方向に相隣接する屋根材の雄端縁とを嵌合することにより屋根下地上に連続して葺設される屋根材において、かかる屋根材の長手方向一端部の樹脂発泡体を該屋根材の長手方向と直角方向に所定の長さで略全幅にわたって除去して樹脂発泡体がない部分を形成し、かかる樹脂発泡体が除去されて樹脂発泡体がない部分を有する該屋根材の一端部を、葺設時に相隣接する屋根材の上側に重ね合わせて重合接続し、桁行方向に連続して横葺設されることを特徴とする屋根材。
【請求項３】  前記屋根材表面に化粧、補強を兼ねた絞り形状を形成すると共に、該屋根材を葺設する際にその上側に重合接続される屋根材の裏面の樹脂発泡体が除去されて樹脂発泡体がない部分の形状を、その下側に相隣接して重合接続される屋根材の表面形状に相対する形状としたことを特徴とする請求項２記載の屋根材。
【請求項４】  前記屋根材の長手方向他端部の表面に、該屋根材表面の雌端縁内面から雄端縁までの略全幅にわたって該長手方向と直角方向に少なくとも２本以上の樋状の絞り形状を形成し、この樋状の絞り形状が形成された他端部が、葺設時に相隣接する屋根材の樹脂発泡体が除去されて樹脂発泡体がない前記一端部の下側に重合接続される構造としたことを特徴とする請求項２又は３記載の屋根材。
【請求項５】  前記屋根材の一端部の裏面材には、該裏面材の全幅にわたって、長手方向に直角に切り込みを入れ切断し、次にかかる裏面材及び樹脂発泡体を該一端部の外方向に向かって剥くことにより、所定長さで裏面材及び樹脂発泡体を除去してなることを特徴とする請求項２、３又は４記載の屋根材。
【手続補正２】
【補正対象書類名】明細書
【補正対象項目名】０００５
【補正方法】変更
【補正の内容】
【０００５】  また、従来の横葺用屋根材では、係止部の軒側方向の端部形状が、屋根材本体の面に対してほぼ直角に折れ曲がった形状を有しているため、葺設後の該屋根材の嵌合部における強度向上は良好であるものの、強風時の吹き上げ風圧を該屋根材係止部の折れ曲がった形状部がまともに受けて、該屋根材が強風時の風圧に煽られて剥がされたり、浮き上がる恐れがあり、更に強風と雨水を同時に受ける場合においては、該屋根材が吹き上げ風圧に煽られて浮き上がり、該屋根材の間隙部が拡げられたところに雨水が押し込まれ浸入し、強風が止んだ後、屋根材の浮き上がりは戻るが、該間隙部に浸入した雨水はそのまま抜けることができず、該間隙部の水切りが悪く雨水が乾きにくいという問題があり、またそこに埃等が溜まり易く、かかる屋根材に隙間腐食を発生させるという問題があった。
【課題を解決するための手段】
本発明は、表面の長手方向に平行な一端に雌端縁、他端に雄端縁を形成した屋根材と、該屋根材の裏面側に該屋根材と一体的に発泡形成した樹脂発泡体とを備え、該屋根材の雌端縁と該屋根材の流れ方向に相隣接する屋根材の雄端縁とを嵌合することにより屋根下地上に連続して葺設される屋根材において、上記屋根材の長手方向一端部には該長手方向と直角方向に所定長さで該屋根材の略全幅にわたって樹脂発泡体がない部分を有し、かかる樹脂発泡体がない部分を有する該屋根材の一端部を、葺設時に相隣接する屋根材の上側に重ね合わせて重合接続し、桁行方向に連続して横葺設されることを特徴とする屋根材に関するものである。
更に詳細には、表面の長手方向に平行な一端に雌端縁、他端に雄端縁を形成した屋根材と、該屋根材の裏面側に該屋根材と一体的に発泡形成した樹脂発泡体とを備え、該屋根材の雌端縁と該屋根材の上段に相隣接する屋根材の雄端縁とを嵌合し、これを繰り返してかかる屋根材を軒側から棟側までの方向に連続して葺設し、また該屋根材の長手方向の端部表面に該長手方向と直角方向に上記雌端縁内面から雄端縁までのほぼ全幅にわたって少なくとも２本以上の樋状の絞り形状を形成すると共に、上記屋根材の長手方向一端部には該長手方向と直角方向に所定長さで該屋根材の略全幅にわたって樹脂発泡体がない部分を有し、該屋根材の樹脂発泡体がない部分を、葺設時に相隣接する屋根材の上記樋状の絞り形状を形成した他端部の上側に重合接続し、これを順次繰り返し、桁行方向に連続して葺設することにより、葺設後には重合接続部に雨水が浸入することはほとんどなく、仮に浸入した水も上記樋状絞り形状に沿って軒方向に流下し、樹脂発泡体を除去された一端部に設けた排水切欠から該屋根嵌合外部へと排水され、更に該屋根表面を流下し軒先へと導き水処理できる水密性を高めた横葺屋根材を提供するものである。
【手続補正３】
【補正対象書類名】明細書
【補正対象項目名】０００９
【補正方法】変更
【補正の内容】
【０００９】
また、本屋根材１１の長手方向の一端側に少なくとも２本以上の樋状絞り形状をその合計幅寸法をαとして形成し、長手方向の他端側の裏面材１３に、該他端側の端面から長さ寸法βの位置に、該長手方向に直角に切り込みを入れ切断し、次に係る裏面材１３及び樹脂発泡体１２を、それらの全幅に亘って貫通するように、長手方向とは直角かつ外方向に、例えばスキジー等で剥（す）いて除去されて樹脂発泡体と裏面材がない部分１５が形成されている。ここで、寸法α、βは、α≦βの関係をもっている。
【手続補正４】
【補正対象書類名】明細書
【補正対象項目名】００１１
【補正方法】変更
【補正の内容】
【００１１】  更に、本屋根材１１表面の軒側方向端部を鈍角の略Ｌ字状に屈曲させて下方傾斜面１７ａを形成し、その先を鋭角の略Ｌ字状に屈曲し、延びてその先をはぜ折りして折り返して雄端縁を形成することにより、葺設時、該屋根板１１ｃの該雄端縁１７を相隣接する屋根板１１ａの雌端縁１６に嵌合すると該折り返し部が枕状になって嵌合隙間２１が形成され、毛細管現象を抑えることから、該下方傾斜面１７ａから雨水が毛細管現象で浸入した場合でも、この嵌合隙間で雨水のその奥への浸入を阻止できる。また、該屋根板表面１１の軒側方向端部を鈍角に屈曲し、下方傾斜面１７ａを形成したので、該屋根板表面に降った雨水は下方即ち軒側方向へ素直に流下すると共に、該下方傾斜面１７ａの軒側方向端部を鋭角の略Ｌ字状に屈曲即ち該下方傾斜面１７ａとその下段に相隣接する屋根板１１ｂとの角度は、鈍角で滑らかな角度で接しているため、該下方傾斜面１７ａに対して軒先方向から吹き上げてくる強風による風圧を受けた時、この強風はベルヌーイの定理により、該下方傾斜面１７ａの表面に沿って上方に吹き抜ける際、風速が上昇して上記嵌合隙間２１出口近傍の圧力が下がり負圧になるので、嵌合隙間２１内部の空気は、該嵌合隙間から係る出口近傍へ押し出されてくる。即ち、仮に該嵌合隙間２１内部に雨水が浸入していたとしても、内部空気と共に出口近傍に押し出されて軒方向に流下するので、該嵌合隙間２１内部に水が貯留することはない。
【発明の効果】
以上説明したように、本発明の横葺屋根材は、その本屋根材の裏面に一体的に樹脂発泡体を発泡形成し、その長手方向に平行な一端縁及び他端縁に各々雌端縁及び雄端縁を一体的に形成し、該雄端縁を雌端縁に水密的に嵌合することにより、棟から軒までの流れ方向に連続して接続し、また長手方向の一端部には所定幅の樹脂発泡体がない部分を形成すべく、裏面材及び樹脂発泡体を屋根材の長手方向と直角方向に所定の幅で除去し、かつ該樹脂発泡体近傍の雄端縁の一部を切欠いて排水切欠を形成し、該長手方向の他端部の表面に樋状絞り形状を形成したので、係る樋状絞り形状を形成された該屋根材の他端部表面上側に、係る裏面材及び樹脂発泡体を所定の幅で除去された該屋根材の一端部下側を重合接続して桁行方向に連続して横葺設すると、該屋根材の断熱性、水密性、遮音性、消音性を向上できる効果があり、また雨水流下のための捨て板を別に使用する必要がなく、屋根材として安価に構成できる効果がある。